(57)【要約】【課題】軒裏見切り部分に設けられた換気孔から小屋裏へ至る換気経路が複雑で、換気孔から小屋裏に吹き込む風の風圧を下げることができ、換気孔から小屋裏への雨水の侵入を防止できる軒裏水返し材及び軒裏換気構造を提供する。【解決手段】本軒裏水返し材1は、長尺な竪板10と、竪板10の高さ方向略中央から軒先側に垂直に突出するように固定され、複数の空気流入孔17が設けられた第１横板11と、第１横板11の上方において該第１横板11と所定間隔をあけて平行に延設されるとともに、外壁材4側の端部が竪板10に取り付けられた第２横板12と、第１横板11の下方において該第１横板11と所定間隔をあけて平行に延設されるとともに、外壁材4側の端部が竪板10に取り付けられた第３横板13と、第３横板13の軒先側の端部から下方に突出するように固定された柔軟性を有する第１ヒレ14と、を備える。【選択図】図５
2007092416.tif 000002
【特許請求の範囲】
【請求項１】
外壁材と軒天井材とにより形成される軒裏見切り部分に設けられた換気孔の上方において前記外壁材と軒裏野縁との間に配設される軒裏水返し材であって、
長尺な竪板と、
該竪板の高さ方向略中央から軒先側に垂直に突出するように固定され、複数の空気流入孔が設けられた第１横板と、
該第１横板の上方において該第１横板と所定間隔をあけて平行に延設されるとともに、前記外壁材側の端部が前記竪板に取り付けられた第２横板と、
前記第１横板の下方において該第１横板と所定間隔をあけて平行に延設されるとともに、前記外壁材側の端部が前記竪板に取り付けられた第３横板と、
前記第３横板の軒先側の端部から下方に突出するように固定された柔軟性を有する第１ヒレと、を備えることを特徴とする軒裏水返し材。
【請求項２】
前記竪板の前記第１横板と対向する外壁材側面から前記外壁材側に突出するように固定された柔軟性を有する第２ヒレ片を備えることを特徴とする請求項１記載の軒裏水返し材。
【請求項３】
前記第１横板の軒先側端部から前記軒先側に突出するように固定された柔軟性を有する第３ヒレ片を備えることを特徴とする請求項１又は２記載の軒裏水返し材。
【請求項４】
外壁材と軒天井材とにより形成される軒裏見切り部分に設けられた換気孔の上方において前記外壁材と軒裏野縁との間に請求項１乃至３のいずれかに記載の軒裏水返し材が配設されたことを特徴とする軒裏換気構造。
【発明の詳細な説明】
【技術分野】
【０００１】
本発明は、軒裏見切り部分に設けられた換気孔から小屋裏への雨水の侵入を防止する軒裏水返し材に関する。
【背景技術】
【０００２】
従来、図１１に示すように、住宅等の勾配屋根を有する建物の外壁材と軒天井材の取り合い部分である軒裏見切り部分には、軒裏見切り材１００が取り付けられているのが一般的である。この軒裏見切り材１００には、小屋裏を換気するための換気孔１０１が設けられている。しかし、台風等の影響により風雨が強い場合、この換気孔１０１から雨水が小屋裏側に浸入することがあった。この場合、軒天井材１０２の小屋裏側や野地板１０３、母屋１０４等の部材が濡れてそれらの部材の腐食や反りを招くことが懸念されていた。また、さらに風雨が強い場合には、軒の小屋裏のみならず、室内側の天井裏まで雨水が浸入し、室内への漏水を招くことが懸念されていた。
【０００３】
そこで、換気孔から小屋裏への雨水の侵入を防止する軒裏換気構造がある（例えば、特許文献１参照）。この軒裏換気構造では、換気孔が設けられた軒裏見切材の上方に水返し板が設置されており、この水返し板により換気孔から小屋裏に雨水が侵入するのを防止している。
【特許文献１】実開平７−１１６１４号公報
【発明の開示】
【発明が解決しようとする課題】
【０００４】
しかしながら、特許文献１の軒裏換気構造では、換気孔から小屋裏へ至る換気経路が単純であるため、換気孔から小屋裏に吹き込む風の風圧が下がりにくく、想定外の強さの風雨の場合、雨水が小屋裏に侵入することが懸念される。
【０００５】
そこで、本発明は、軒裏見切り部分に設けられた換気孔から小屋裏へ至る換気経路が複雑で、換気孔から小屋裏に吹き込む風の風圧を下げることができ、換気孔から小屋裏への雨水の侵入を防止できる軒裏水返し材及び軒裏換気構造を提供することを目的とする。
【課題を解決するための手段】
【０００６】
上記目的を達成するために、請求項１記載の軒裏水返し材は、外壁材と軒天井材とにより形成される軒裏見切り部分に設けられた換気孔の上方において前記外壁材と軒裏野縁との間に配設される軒裏水返し材であって、長尺な竪板と、該竪板の高さ方向略中央から軒先側に垂直に突出するように固定され、複数の空気流入孔が設けられた第１横板と、該第１横板の上方において該第１横板と所定間隔をあけて平行に延設されるとともに、前記外壁材側の端部が前記竪板に取り付けられた第２横板と、前記第１横板の下方において該第１横板と所定間隔をあけて平行に延設されるとともに、前記外壁材側の端部が前記竪板に取り付けられた第３横板と、前記第３横板の軒先側の端部から下方に突出するように固定された柔軟性を有する第１ヒレと、を備えることを特徴としている。
【０００７】
請求項２記載の軒裏水返し材は、請求項１記載の軒裏水返し材において、前記竪板の前記第１横板と対向する外壁材側面から前記外壁材側に突出するように固定された柔軟性を有する第２ヒレ片を備えることを特徴としている。
【０００８】
請求項３記載の軒裏水返し材は、請求項１又は２記載の軒裏水返し材において、前記第１横板の軒先側端部から前記軒先側に突出するように固定された柔軟性を有する第３ヒレ片を備えることを特徴としている。
【０００９】
請求項４記載の軒裏換気構造は、外壁材と軒天井材とにより形成される軒裏見切り部分に設けられた換気孔の上方において前記外壁材と軒裏野縁との間に請求項１乃至３のいずれかに記載の軒裏水返し材が配設されたことを特徴としている。
【発明の効果】
【００１０】
本発明の請求項１の軒裏水返し材によれば、長尺な竪板と、該竪板の高さ方向略中央から軒先側に垂直に突出するように固定され、複数の空気流入孔が設けられた第１横板と、該第１横板の上方において該第１横板と所定間隔をあけて平行に延設されるとともに、前記外壁材側の端部が前記竪板に取り付けられた第２横板と、前記第１横板の下方において該第１横板と所定間隔をあけて平行に延設されるとともに、前記外壁材側の端部が前記竪板に取り付けられた第３横板と、前記第３横板の軒先側の端部から下方に突出するように固定された柔軟性を有する第１ヒレと、を備えるため、軒裏見切り部分に設けられた換気孔から小屋裏へ至る換気経路が複雑で、換気孔から小屋裏に吹き込む風の風圧を減圧でき、換気孔から小屋裏への雨水の侵入を防止できる。さらに、換気経路の途中に空気流入孔が設けてあるため、風圧がさらに弱くなる減圧効果が期待できる。
【００１１】
請求項２の軒裏水返し材によれば、請求項１記載の軒裏水返し材の効果に加えて、竪板の第１横板と対向する外壁材側面から外壁材側に突出するように固定された柔軟性を有する第２ヒレ片を備えるため、軒裏水返し材と外壁材との間から雨水が小屋裏に侵入するのを防止できる。
【００１２】
請求項３の軒裏水返し材によれば、請求項１又は２記載の軒裏水返し材の効果に加えて、第１横板の軒先側端部から前記軒先側に突出するように固定された柔軟性を有する第３ヒレ片を備えるため、軒裏水返し材と軒裏野縁との間から雨水が小屋裏に侵入するのを防止できる。
【００１３】
請求項４の軒裏換気構造によれば、外壁材と軒天井材とにより形成される軒裏見切り部分に設けられた換気孔の上方において前記外壁材と軒裏野縁との間に請求項１乃至３のいずれかに記載の軒裏水返し材が配設されているため、換気経路が複雑で、軒裏見切り部分に設けられた換気孔から小屋裏に吹き込む風の風圧を減圧でき、換気孔から小屋裏への雨水の侵入を防止できる。
【発明を実施するための最良の形態】
【００１４】
以下、本発明の実施の形態に係る軒裏水返し材について図面に基づいて説明する。
図１は、本発明の実施の形態に係る軒裏水返し材１と、該軒裏水返し材１を軒裏に配設された軒裏野縁２に固定するための取付具３の概略構成を示す斜視図である。また、図２（ａ）は、軒裏水返し材１の平面図であり、図２（ｂ）は、軒裏水返し材１の断面図である。軒裏水返し材１は、図示するように、竪板１０と、第１横板１１と、第２横板１２と、第３横板１３と、第１ヒレ片１４と、第２ヒレ片１５と、第３ヒレ片１６を主体に構成される。また、この軒裏水返し材１は、図３乃至図５に示すように、主原料としてセメント質原料および繊維質原料を用いた外装用板材、いわゆる、サイディングボード等からなる外壁材４と、サイディングボード等からなる軒天井材５とにより形成される軒裏見切り部分に設けられた軒裏見切り材６の換気孔７の上方において外壁材４と軒裏野縁２との間に配設されるものである。以下、詳細に説明する。
【００１５】
前記竪板１０は、図１及び図２（ａ）、（ｂ）に示すように、硬質樹脂製の長尺な板状部材である。前記第１横板１１は、硬質樹脂製の長尺な板状部材であって、竪板１０の高さ方向略中央から軒先側に垂直に突出するように竪板１０の長手方向全長にわたって固定されている。また、複数の空気流入孔１７が所定間隔で設けられている。この空気流入孔１７は、平面視において竪板１０の長手方向に長い長方形形状をしている。このように、換気孔７から小屋裏に至る換気経路の途中に空気流入孔１７が設けてあるため、風圧が弱くなる減圧効果が期待できる。
【００１６】
前記第２横板１２は、硬質樹脂製の長尺な板状部材であって、第１横板１１の上方において該第１横板１１と所定間隔をあけて平行に竪板１０の長手方向全長にわたって延設されるとともに、外壁材４側の端部が竪板１０の上端部に取り付けられて固定されている。
【００１７】
前記第３横板１３は、硬質樹脂製の長尺な板状部材であって、第１横板１１の下方において該第１横板１１と所定間隔をあけて平行に竪板１０の長手方向全長にわたって延設されるとともに、外壁材４側の端部が竪板１０の下端部に取り付けられて固定されている。
【００１８】
前記第１ヒレ片１４は、第３横板１３の軒先側端部から下方に突出するように第３横板１３の長手方向全長にわたって固定された軟質樹脂製のヒレ片である。この第１ヒレ片１６は、強風時に風圧によってその先端部分が持ち上がって換気孔７から小屋裏に至る換気経路を塞ぐように揺動する柔軟性を有している。
【００１９】
前記第２ヒレ片１５は、竪板１０の第１横板１１と対向する外壁材４側面から外壁材４側やや斜め上方に突出するように固定された軟質樹脂製の柔軟性を有するヒレ片であり、所定の長さを有するとともに、竪板１０の長手方向全長にわたって長尺に形成されている。この第２ヒレ片１５は、軒裏水返し材１を外壁材４と軒裏野縁２との間に配設した際に、外壁材４の屋外側表面に当接して該外壁材４と軒裏水返し材１の間から雨水が小屋裏に侵入するのを防止するものである。また、第２ヒレ片１５は、所定の長さを有しているため、外壁材４の屋外側表面に凹凸模様等の意匠柄が施してある場合であっても、外壁材４との間に隙間が生じることを防止でき、雨水の浸入を防止できる。
【００２０】
前記第３ヒレ片１６は、第１横板１１の軒先側端部から軒先側にほぼ水平に突出するように固定された軟質樹脂製の柔軟性を有するヒレ片であり、第１横板１１の長手方向全長にわたって長尺に形成されている。この第３ヒレ片１６は、軒裏水返し材１を外壁材４と軒裏野縁２との間に配設した際に、軒裏野縁２と当接して該軒裏野縁２と軒裏水返し材１の間から雨水が小屋裏に侵入するのを防止するものである。
【００２１】
以上の構成からなる軒裏水返し材１を軒裏野縁２に固定する取付具３は、硬質樹脂製の取付具であって、図６に示すように、軒裏野縁２に係止するための係止部３０と、軒裏水返し材１の空気流入孔１７に取り付けるための突起部３１を主体に構成される。
【００２２】
前記係止部３０は、軒裏水返し材１への取付時に第１横板１１の上面に当接する水返し材当接板３００と、該水返し材当接板３００の一方の端部から垂直上方に突出するように固定された垂直板３０１と、該垂直板３０１の上端部から水返し材当接板３００と反対方向水平に突出するように固定された水平板３０２と、該水平板３０２の他端部から外壁材４側やや斜め下方に突出するように固定され、その先端に折り返し片３０３を有する係止板３０４を備えている。
【００２３】
前記突起部３１は、水返し材当接板３００の下面に固定された中間板３１０と、該中間板３１０の下面に固定され、中間板３１０よりも所定幅分平面方向に大きい突起板３１１とを備えている。この中間板３１０の取付具３の長手方向の長さは、空気流入孔１４の軒裏水返し材１の短手方向の幅よりやや小さく、中間板３１０の対角方向の長さと空気流入孔１４の軒裏水返し材１の短手方向の幅が略同じである。また、突起板３１１の大きさは、空気流入孔１４に差し込むことができる大きさである。
【００２４】
このように構成される取付具３を軒裏水返し材１に取り付けるには、図７（ａ）に示すように、まず、取付具３を軒裏水返材１に対して斜めになるように角度を振った状態で突起部３１を空気流入孔１７の上方からその内側へ差し込む。そして、図中矢印で示すように、取付具３の係止部３０を軒先側に回転させると、図７（ｂ）に示すように、取付具３の中間板３１０の長手方向の長さが空気流入孔１７の軒裏水返し材１の短手方向の幅よりやや小さく、突起板３１１が中間板３１０よりも所定幅分平面方向に大きいため、突起板３１１が竪板１０の下面に係止して、取付具３を軒裏水返し材１に取り付けることができる。
【００２５】
なお、軒裏水返し材１は、図５に示すように、軒裏野縁２と外壁材４との間に突っ張った状態で配設されるため、取付具３を取り付けなくても軒裏水返し材１を軒裏野縁２と外壁材４との間に配設できる。しかし、想定以上の強風が吹き上げた場合等を考慮すると取付具３を取り付けて軒裏野縁２に係止する方が好ましい。すなわち、取付具３は、必要最小限の個数を取り付ければよく、例えば、５００ｍｍ程度のピッチで取り付けられる。また、取付具３を取り付けることにより、軒裏水返し材１を所定位置に配設でき、軒裏水返し材１が所定位置よりも下方に下がって換気性能を損なうことを防止できる。
【００２６】
また、取付具３の形状は、上記のものに限定されるものではなく、例えば、図８（ａ）、（ｂ）に示すように、突起部３１として折り返し片３１２を有する２枚の突起板３１３が、その両端面が空気流入孔１７の軒裏水返し材１の短手方向の幅と略同じ間隔となるように水返し材当接板３００の下面に突出するように固定されたものであってもよい。この場合、２枚の突起板３１３を空気流入孔１７に上方から差し込むことにより、突起板３１３の折り返し片３１２が竪板１０の下面に係止して、取付具３を軒裏水返し材１に取り付けることができる。
【００２７】
さらに、取付具３の別の形状としては、図９（ａ）、（ｂ）、（ｃ）に示すように、水返し材当接板３００に平面視凹状の切り込みをいれて、テーパー状に形成された返し止め部３１４を有する返し止め板３１５が形成されるとともに、突起部３１として断面略Ｌ字上の突起板３１６が水返し材当接板３００の下面側に突出するように固定されたものであってもよい。この突起板３１６の先端部分にはテーパー部３１７が設けられており、水返し本体１０の空気流入孔１４と空気流入孔１４の間のブリッジ部１８を挿入しやすいようになされている。この取付具３を軒裏水返し材１に取り付けるには、図１０（ａ）に示すように、まず、突起部３１を空気流入孔１４の上方からその内側へ差し込む。そして、図中矢印で示すように、返し止め板３１５と突起板３１６のテーパー部３１７で水返し本体１０のブリッジ部１８を挟むようにして取付具３を軒裏水返し材１の長手方向にスライドさせると、図１０（ｂ）に示すように、水返し本体１０のブリッジ部１８が返し止め板３１５と突起板３１６のテーパー部３１７の間を通過し、ブリッジ部１８が返し止め板３１５の返し止め部３１４と、水返し材当接板３００と、突起板３１６により囲まれる。これにより、取付具３を軒裏水返し材１に取り付けることができる。
【００２８】
次に、以上の構成の軒裏水返し材１を用いた本発明の実施の形態に係る軒裏換気構造について説明する。
図３は、軒裏換気構造８の概略構成を示す断面図である。図４は、図３のＸ部の斜視図であり、また、図５は、図３のＸ部の拡大図である。軒裏換気構造８は、図示するように、軒裏水返し材１と、軒裏野縁２と、取付具３と、外壁材４と、軒天井材５と、換気孔７を有するとともに、所定間隔でジョイナ９を介して軒裏野縁２に固定される軒裏見切り材６を主体にして構成される。この軒裏換気構造８では、外壁材４と軒天井材５とにより形成される軒裏見切り部分に設けられた軒裏見切り材６の換気孔７の上方において、外壁材４と軒裏野縁２との間に軒裏水返し材１が配設される。
【００２９】
この軒裏換気構造８を形成するには、まず、外壁材４を含む外壁を施工し、次いで、軒裏野縁２を図外の吊りボルト等を用いて軒裏の所定位置に配設する。そして、前述のようにして軒裏水返し材１に取付具３を取り付けてから、図９（ａ）に示すように、軒裏野縁２の切欠部２０に取付具３の折り返し片３０３を引っ掛けるとともに、図中矢印で示すように、軒裏水返し材１及び取付具３を外壁材４側に回転させる。そして、図９（ｂ）に示すように、軒裏水返し材１の第２ヒレ片１５が外壁材４に当接した状態から取付具３の水平板３０２が軒裏野縁２の天端に当接するように図中矢印方向に押し込むと、図９（ｃ）に示すように、軒裏水返し材１が配設される。なお、取付具３は、硬質樹脂製であるため、若干の変形は許容でき、軒裏水返し材１が配設された後は元の形状に戻る。このとき、軒裏水返し材１は、軒裏野縁２と外壁材４との間に突っ張った状態で配設されるため、第２ヒレ片１５と外壁材４との間、及び第３ヒレ片１６と軒裏野縁２との間には隙間が生じず、それらの間から雨水が小屋裏に侵入するのを防止できる。
【００３０】
軒裏水返し材１の配設後、軒裏見切り材６及び軒天井材５を所定の施工方法により施工する。このように、従来通りの納まりに対して軒裏水返し材１及び取付具３を設けているので、軒裏の見切り部分の納まりを従来通りの納まりとすることができ、施工が容易である。
【００３１】
以上のように構成される軒裏換気構造８において、下方から換気孔７に強風が吹き込んだ場合、図１０に示すように、軒裏水返し材１の第１ヒレ片１６が風の風圧により換気孔７から小屋裏に至る換気経路を塞ぐように揺動する。さらに、換気孔から小屋裏へ至る換気経路が複雑であるため、台風等の強風時に小屋裏に吹き込む風の風圧を減圧でき、換気孔から小屋裏への雨水の侵入を防止できる。したがって、図３に示すように、壁断熱材１０７や天井断熱材１０８を雨水から保護するために高くしていた外壁材４の天端レベルを従来よりも低くすることができ、外壁材４のコストを抑えることができる。また、軒天井材５の小屋裏側や野地板１０５、母屋１０６等の部材を濡らすことがないので、それらの部材の劣化を軽減でき、建物の耐久性向上を図ることができる。
【００３２】
以上の説明より明らかなように、本発明の実施の形態に係る軒裏水返し材１によれば、軒裏見切り部分に設けられた換気孔７から小屋裏へ至る換気経路が複雑で、換気孔７から小屋裏に吹き込む風の風圧を減圧でき、換気孔７から小屋裏への雨水の侵入を防止できる。さらに、換気経路の途中に空気流入孔１７が設けてあるため、風圧がさらに弱くなる減圧効果が期待できる。また、第２ヒレ片１５を備えるため、軒裏水返し材１と外壁材４との間から雨水が小屋裏に侵入するのを防止できる。さらに、第３ヒレ片１６を備えるため、軒裏水返し材１と軒裏野縁２との間から雨水が小屋裏に侵入するのを防止できる。
【００３３】
また、本発明の実施の形態に係る軒裏換気構造８によれば、外壁材４と軒天井材５とにより形成される軒裏見切り部分に設けられた軒裏見切り材６の換気孔７の上方において、外壁材４と軒裏野縁５との間に軒裏水返し材１が配設されているため、換気経路が複雑で、軒裏見切り部分に設けられた換気孔７から小屋裏に吹き込む風の風圧を減圧でき、換気孔７から小屋裏への雨水の侵入を防止できる。
【００３４】
なお、本発明は上記実施形態に限定されるものではなく、本発明の要旨の範囲内で種々の変形実施が可能である。例えば、本実施の形態では、軒裏水返し材１は、第２ヒレ片１５と第３ヒレ片１６を備えているが、どちらか一方のみを備えていたり、またはどちらも備えていないものであってもよい。また、軒天を勾配のない平軒としているが、勾配のある軒天とすることもできる。
【産業上の利用可能性】
【００３５】
本発明は、軒裏の見切り部分に設けられた換気孔から小屋裏への雨水の侵入を防止する場合に利用可能である。
【図面の簡単な説明】
【００３６】
【図１】本発明の実施の形態に係る軒裏水返し材と取付具の概略構成を示す斜視図である。
【図２】軒裏水返し材の一例を示す平面図及び断面図である。
【図３】軒裏水返し材を用いた本発明の実施の形態に係る軒裏換気構造の概略構成を示す断面図である。
【図４】図３のＸ部の斜視図である。
【図５】図３のＸ部の拡大図である。
【図６】取付具の一例を示す平面図及び側面図である。
【図７】取付具の軒裏水返し材への取付方法を示す平面図である。
【図８】取付具の他の例を示す平面図及び側面図である。
【図９】取付具の他の例を示す平面図及び側面図である。
【図１０】他の例の取付具の軒裏水返し材への取付方法を示す平面図である。
【図１１】軒裏水返し材の配設方法を示す断面図である。
【図１２】強風時における軒裏水返し材の状態を示す断面図である。
【図１３】従来の軒裏換気構造の一例を示す断面図である。
【符号の説明】
【００３７】
１    軒裏水返し材
１０    竪板
１１    第１横板
１２    第２横板
１３    第３横板
１４    第１ヒレ片
１５    第２ヒレ片
１６    第３ヒレ片
１７    空気流入孔
２    軒裏野縁
４    外壁材
５    軒天井材
７    換気孔
８    軒裏換気構造
【図１】
2007092416.tif 000003
【図２】
2007092416.tif 000004
【図３】
2007092416.tif 000005
【図４】
2007092416.tif 000006
【図５】
2007092416.tif 000007
【図６】
2007092416.tif 000008
【図７】
2007092416.tif 000009
【図８】
2007092416.tif 000010
【図９】
2007092416.tif 000011
【図１０】
2007092416.tif 000012
【図１１】
2007092416.tif 000013
【図１２】
2007092416.tif 000014
【図１３】
2007092416.tif 000015